(57)【要約】【課題】  タンク内の水を使い、効率良く冷却させることのできるトイレ冷房装置を提供する。【解決手段】  貯水タンク２に貯水された水に、放熱部３ａが浸るようにペルチェ素子３を配設するとともに、前記貯水タンク２内の水を攪拌させるポンプ５を設けて構成する。【選択図】  図２
2005200979.tif 000002
【特許請求の範囲】
【請求項１】
冷却タンク内に貯水された水に放熱部が浸るようにペルチェ素子を配設するとともに、前記冷却タンク内の水を攪拌させる手段を設けたことを特徴とするトイレ冷房装置。
【請求項２】
前記冷却タンクは、便器に備えられた貯水タンクである請求項１に記載のトイレ冷房装置。
【請求項３】
前記冷却タンク内の水をポンプで循環することによって攪拌させるように構成した請求項１または請求項２に記載のトイレ冷房装置。
【請求項４】
前記冷却タンク内の水を攪拌羽根の回転によって攪拌させるように構成した請求項１または請求項２に記載のトイレ冷房装置。
【発明の詳細な説明】
【技術分野】
【０００１】
本発明は、トイレ冷房装置に関するものである。
【背景技術】
【０００２】
従来、特許文献１に開示されているように、便器に備えられたロータンク上にペルチェ素子を配設し、ペルチェ素子の一次側フィンをタンク内の水に接触させ、ペルチェ素子の二次側フィン側に送風手段を備えたトイレ冷房装置が存在する。
【特許文献１】実開昭６３−１９０３７４号公報
【発明の開示】
【発明が解決しようとする課題】
【０００３】
上記トイレ冷房装置では、タンク内の水の上部部位のみが、ペルチェ素子の一次側フィンからの熱で温度上昇し、良好にペルチェ素子を冷却させることが困難になるという問題点があった。
【課題を解決するための手段】
【０００４】
本発明は上記従来の問題点に鑑み案出したものであって、効率良く冷却させることのできるトイレ冷房装置を提供せんとするものであり、請求項１は、冷却タンク内に貯水された水に放熱部が浸るようにペルチェ素子を配設するとともに、前記冷却タンク内の水を攪拌させる手段を設けたことである。
【０００５】
また請求項２は、前記冷却タンクは、便器に備えられた貯水タンクであることである。
また請求項３は、前記冷却タンク内の水をポンプで循環することによって攪拌させるように構成したことである。
また請求項４は、前記冷却タンク内の水を攪拌羽根の回転によって攪拌させるように構成したことである。
【発明の効果】
【０００６】
本発明は、ペルチェ素子の放熱部を貯水された水に浸し、貯水された水を攪拌させるように構成したことにより、水を攪拌させることで、効率良くペルチェ素子の放熱部を冷やすことができ、ペルチェ素子の冷房機能が持続されて、良好に冷房できるものとなる。
【０００７】
また、貯水された水をポンプまたは攪拌羽根で攪拌させるように構成したことにより、タンク内の水をポンプまたは攪拌羽根で攪拌させることで、効率良くペルチェ素子の放熱部を冷却することができ、ペルチェ素子の冷房能力を持続させて、良好に冷房できるものとなる。
【実施例】
【０００８】
以下、本発明の実施例を図面に基づいて説明する。
図１は、トイレ内に設置された便器の正面側から見た斜視構成図である。
便器１の後部に設置されている貯水タンク２内には水が貯水されており、この貯水タンク２の上側には、前方側へ開口して吹出口２ａが形成された蓋２ｂが設けられ、この吹出口２ａから、便器使用者の肩，頭部等へ向かって冷風を吹き出すように構成されている。
【０００９】
図２は、貯水タンクに設けられたペルチェ素子の概略配置構成図である。
図２に示すように、貯水タンク２内に溜められた水Ｗの上方には、ペルチェ素子３が配設され、このペルチェ素子３の下部の放熱部３ａが水Ｗに浸された状態で配置されている。
また、ペルチェ素子３の上部の冷却部３ｂが上方へ向けて配置され、この冷却部３ｂの後部には、ファン４が配設されている。
なお、本実施例において、放熱部３ａは、ペルチェ素子３の放熱面側に配設される放熱フィンであり、冷却部３ｂは、ペルチェ素子３の冷却面側に配設される冷却フィンである。
また、貯水タンク２内の水Ｗを攪拌するために、ポンプ５が配設されている。
このポンプ５は、貯水タンク２内の水Ｗを良好に攪拌できるように、下部部位の水Ｗを吸い込んで上部へ吐き出し、貯水タンク２内の水Ｗが上下方向に循環されるように設けておくことができる。
【００１０】
このような構成では、ペルチェ素子３に直流電流が通電されると、ペルチェ素子３が作動して、冷却部３ｂが周囲から吸熱し、放熱部３ａから熱を放出するが、この放熱部３ａは貯水タンク２内の水Ｗに浸されているため、良好に水Ｗで放熱部３ａが冷やされて、ペルチェ素子３の冷却能力が維持されるものとなる。
なお、ペルチェ素子３の冷却部３ｂの周辺の空気は冷却され、これがファン４の回転で、吹出口２ａから前方側へ吹き出されるため、便器１の使用者の肩や頭部に冷風が当たり、良好な冷房感が得られるものとなる。
【００１１】
しかも、ポンプ５が作動することで、貯水タンク２内の水が攪拌されて、常に冷えた水が放熱部３ａに循環され、良好に放熱部３ａを冷却させることができ、貯水タンク２内の水Ｗの上部部位のみが熱せられることがなく、長時間に亘り放熱部３ａを良好に冷却して、ペルチェ素子３の冷房能力を維持させることができるものとなる。
なお、ポンプ５は、冷房ＯＮと同時に作動するように構成しても、また、貯水タンク２内の水Ｗの上部部位の水温等により間欠運転できるように構成しても良い。
なお、ポンプ５を、貯水タンク２内の水中に配置させた場合は、ポンプ５の騒音が防止されることとなる。
【００１２】
次に、図３は変更例を示すものであり、図３では、ペルチェ素子３の外周側に配置した回転筒体６ａの下端側に攪拌羽根（スクリュー，羽根車等）６を設けたものであり、この攪拌羽根（スクリュー，羽根車等）６は、貯水タンク２内の水Ｗが上下方向に循環されるように貯水タンク２内の水Ｗ内に配置しておくことができる。
攪拌羽根（スクリュー，羽根車等）６をモーターで回転させて、貯水タンク２内の水Ｗを攪拌することにより、貯水タンク２内の水を有効に利用して効率良くペルチェ素子３の放熱部３ａを冷却させることができ、ペルチェ素子３の冷却能力を持続させて、良好に冷却できるものとなる。
なお、攪拌羽根（スクリュー，羽根車等）６は、冷房ＯＮと同時に作動するように構成しても、また、貯水タンク２内の水Ｗの上部部位の水温等により間欠運転できるように構成しても良い。
【００１３】
なお、ペルチェ素子３はコンパクトに貯水タンク２上に配設させることができ、全体を小型化させて構成することができ、しかも、騒音や振動が少ない良好なトイレ冷房装置となる。
なお、トイレ内の便器の側方等に冷却タンクを設けて、この冷却タンクの上方にペルチェ素子を配置し、冷却タンク内をポンプまたは攪拌羽根で攪拌させて、冷却タンクから冷風を便器側に向かって噴出させるように構成することもできる。
【図面の簡単な説明】
【００１４】
【図１】トイレ内に設置された便器の正面側から見た斜視構成図である。
【図２】貯水タンク上部に配置した構成部材の配置構成図である。
【図３】別例を示す貯水タンク上部の構成部材の配置構成図である。
【符号の説明】
【００１５】
１  便器
２  貯水タンク
２ａ  吹出口
３  ペルチェ素子
３ａ  放熱部
３ｂ  冷却部
４  ファン
５  ポンプ
６  攪拌羽根（スクリュー，羽根車等）
Ｗ  水
【図１】
2005200979.tif 000003
【図２】
2005200979.tif 000004
【図３】
2005200979.tif 000005